(57)【要約】【課題】防犯やプライバシー保護に配慮しながら通風効率を高めることができる通風機能を有するドアを提供する。【解決手段】このドア１は、ドア本体１０の通風用開口部１７の屋外側を覆い隠すカバー部材２２が設けられている。カバー部材２２は、屋内外方向に移動可能に取り付けられて、通風用開口部１７に対向したまま屋外方向へ張り出して通風用開口部１７を開放する開放状態と、屋内方向へ引っ込んで通風用開口部１７を閉塞する閉塞状態とに切換可能とされている。カバー部材２２の開放状態において、ドア本体１０の屋外側表面１０ａに沿って横方向に流れる風をカバー部材２２の裏側に取り込む風取込口３０、３０が形成され、カバー部材２２の裏側に、風取込口３０、３０から取り込んだ風が通風用開口部１７へ流れ込むように風の流れを切り換える風当たり部３１、３１が設けられている。【選択図】図３
2014031675.tif 000002
【特許請求の範囲】
【請求項１】
ドア本体（１０）に屋内外を連通する通風用開口部（１７）が形成され、前記通風用開口部（１７）の屋外側を覆い隠すカバー部材（２２）が設けられた通風機能を有するドア（１）であって、前記カバー部材（２２）は、屋内外方向に移動可能に取り付けられて、前記通風用開口部（１７）に対向したまま屋外方向へ張り出して前記通風用開口部（１７）を開放する開放状態と、屋内方向へ引っ込んで前記通風用開口部（１７）を閉塞する閉塞状態とに切換可能とされ、前記カバー部材（２２）の開放状態において、前記ドア本体（１０）の屋外側表面（１０ａ）に沿って横方向に流れる風を前記カバー部材（２２）の裏側に取り込む風取込口（３０）（３０）が形成され、前記カバー部材（２２）の裏側に、前記風取込口（３０）（３０）から取り込んだ風が前記通風用開口部（１７）へ流れ込むように風の流れを切り換える風当たり部（３１）（３１）が設けられたことを特徴とする通風機能を有するドア。
【請求項２】
前記カバー部材（２２）は、前記通風用開口部（１７）の幅方向中央付近に対応して配された基体（２６）と、この基体（２６）から横方向に互いに離間するように張り出した一対の羽根体（２７）（２７）とを備え、前記一対の羽根体（２７）（２７）の先端部（２８）（２８）間の横幅が前記通風用開口部（１７）の屋外側の横幅よりも幅広とされ、前記一対の羽根体（２７）（２７）の先端部（２８）（２８）裏側に、前記風取込口（３０）（３０）がそれぞれ形成された請求項１記載の通風機能を有するドア。
【請求項３】
前記基体（２６）は、前記一対の羽根体（２７）（２７）よりも屋内方向へ突出されていて、この基体（２６）における前記風取込口（３０）（３０）に対向する両側面が前記風当たり部（３１）（３１）とされた請求項２記載の通風機能を有するドア。
【請求項４】
前記カバー部材（２２）を屋内外方向に移動させるための移動手段（２３）が設けられ、この移動手段（２３）は、屋内側から操作可能とされた請求項１乃至３のいずれかに記載の通風機能を有するドア。
【請求項５】
前記通風用開口部（１７）の屋内側を覆うようにして防虫網（２４）が張設された請求項１乃至４のいずれかに記載の通風機能を有するドア。
【発明の詳細な説明】
【技術分野】
【０００１】
この発明は、主として住宅やマンション等の建物の玄関ドアとして用いられる通風機能を有するドアに関する。
【背景技術】
【０００２】
従来より、例えば特許文献１や特許文献２にも開示されているように、住宅やマンション等の建物における玄関ドアとして、通風機能を有するものが各種提案されている。
【０００３】
特許文献１に記載の玄関ドアは、ドア本体に屋内外を連通する通風用開口部が形成され、通風用開口部の屋外側及び屋内側を覆うカバー部材が設けられ、屋外側のカバー部材の両側端部付近には、風を取り込む隙間が形成されている。特許文献２に記載の玄関ドアは、ドア本体に屋内外を連通する通風用開口部が形成され、通風用開口部の屋外側を覆うカバー部材が設けられ、通風用開口部の屋内側に小扉が設けられ、カバー部材には、風を取り込む通風孔が形成されている。
【先行技術文献】
【特許文献】
【０００４】
【特許文献１】特開２００２−５４３６２号公報
【特許文献２】特開平１１−２００７２３号公報
【発明の概要】
【発明が解決しようとする課題】
【０００５】
一般に、建物周辺の風は、建物外壁に沿って横方向に流れる傾向にあり、玄関ドア付近ではドア本体の屋外側表面に沿って横方向に流れることが多い。ところが、上記の玄関ドアにおいては、ドア本体の屋外側表面に対して向ってくるように流れる風については、比較的スムーズに取り込んで通風用開口部へ流れ込ませることができるが、ドア本体の屋外側表面に沿って横方向に流れる風については、スムーズに取り込んで通風用開口部へ流れ込ませることができず、通風効率が悪いといった不具合があった。
【０００６】
また、玄関ドア自体を屋外側へ僅かに開け放して、この状態を金具等で保持することで、通風を確保することも一般的に行われている。この場合、建物外壁に沿って横方向に流れる風をスムーズに取り込んで通風効率を高めることができるものの、防犯上の配慮に欠け、また屋外側から建物内部が見える（特に集合住宅では共用部分から居室内が見える）こともあってプライバシー保護の配慮にも欠けることから、特に集合住宅においては使用し難いといった不具合があった。
【０００７】
この発明は、上記の不具合を解消して、防犯やプライバシー保護に配慮しながら通風効率を高めることができる通風機能を有するドアの提供を目的とする。
【課題を解決するための手段】
【０００８】
上記課題を解決するため、この発明の通風機能を有するドア１は、ドア本体１０に屋内外を連通する通風用開口部１７が形成され、前記通風用開口部１７の屋外側を覆い隠すカバー部材２２が設けられたものであって、前記カバー部材２２は、屋内外方向に移動可能に取り付けられて、前記通風用開口部１７に対向したまま屋外方向へ張り出して前記通風用開口部１７を開放する開放状態と、屋内方向へ引っ込んで前記通風用開口部１７を閉塞する閉塞状態とに切換可能とされ、前記カバー部材２２の開放状態において、前記ドア本体１０の屋外側表面１０ａに沿って横方向に流れる風を前記カバー部材２２の裏側に取り込む風取込口３０、３０が形成され、前記カバー部材２２の裏側に、前記風取込口３０、３０から取り込んだ風が前記通風用開口部１７へ流れ込むように風の流れを切り換える風当たり部３１、３１が設けられたことを特徴とする。
【０００９】
具体的に、前記カバー部材２２は、前記通風用開口部１７の幅方向中央付近に対応して配された基体２６と、この基体２６から横方向に互いに離間するように張り出した一対の羽根体２７、２７とを備え、前記一対の羽根体２７、２７の先端部２８、２８間の横幅が前記通風用開口部１７の屋外側の横幅よりも幅広とされ、前記一対の羽根体２７、２７の先端部２８、２８の裏側に、前記風取込口３０、３０がそれぞれ形成されている。
【００１０】
また、前記基体２６は、前記一対の羽根体２７、２７よりも屋内方向へ突出されていて、この基体２６における前記風取込口３０、３０に対向する両側面が前記風当たり部３１、３１とされている。
【００１１】
さらに、前記カバー部材２２を屋内外方向に移動させるための移動手段２３が設けられ、この移動手段２３は、屋内側から操作可能とされている。さらにまた、前記通風用開口部１７の屋内側を覆うようにして防虫網２４が張設されている。
【発明の効果】
【００１２】
この発明の通風機能を有するドアにおいては、カバー部材を開放状態とすることで、ドア本体の屋外側表面に沿って横方向に流れる風を、風取込口からカバー部材の裏側へスムーズに取り込むとともに、風当たり部を利用して通風用開口部へ効率良く流れ込ませて、屋内へ取り入れることができる。しかも、ドアを閉めて施錠したままで、カバー部材を開放状態とすることができ、さらにカバー部材を開放状態としても、カバー部材によって通風用開口部の屋外側が覆い隠され、屋外側から通風用開口部が見える角度や位置が制限されて、通風用開口部を通して屋内側が見え難くなっている。これにより、防犯やプライバシー保護に配慮しながら、通風効率を格段に高めることができる。
【００１３】
また、カバー部材における羽根体の先端部間の横幅を通風用開口部の屋外側の横幅よりも幅広として、それら先端部の裏側に風取込口をそれぞれ形成することで、通風用開口部及び風取込口が屋外側からより一層見え難くなって、ドア自体の見栄えも向上することができる。
【００１４】
さらに、カバー部材における基体の両側面を風当たり部とすることで、カバー部材の裏側に風当たり部となる部材を別途設けずに済み、また、屋外側から風当たり部が見え難くなることから、構造の簡略化と共に意匠性の向上を図ることができる。
【００１５】
また、移動手段を屋内側から操作可能とすることで、屋内に居ながらにしてカバー部材の状態切換を行うことができ、使用性の向上を図ることができる。さらにまた、通風用開口部の屋内側を防虫網で覆うことで、通風時における屋内への害虫の侵入を防止することができる。
【図面の簡単な説明】
【００１６】
【図１】この発明の一実施形態に係る通風機能を有するドアを屋外側から見た図である。
【図２】同じくその屋内側から見た図である。
【図３】カバー部材が開放状態のときの通風ユニットの横断面図である。
【図４】カバー部材が閉塞状態のときの通風ユニットの横断面図である。
【図５】カバー部材が開放状態のときのアーム機構の状態を示す縦断面図である。
【図６】カバー部材が閉塞状態のときのアーム機構の状態を示す縦断面図である。
【発明を実施するための形態】
【００１７】
以下、この発明の実施形態を図面に基づいて詳細に説明する。この発明の一実施形態に係る通風機能を有するドア１は、建物の玄関ドアとして用いられるものであって、図１及び図２に示すように、屋外側へ向って片開きするように、建物側のドア枠２に丁番３を介して取り付けられている。
【００１８】
この玄関ドア１は、ドア本体１０と、このドア本体１０の縦長貫通孔１１に装着された縦長の通風ユニット２０とを備えている。なお、１２は把手、１３は玄関錠、１４はサムターン、１５は郵便投入口、１６は郵便受箱である。また、縦長貫通孔１１及び通風ユニット２０は、サムターン１４から離れたドア本体１０の基端部（丁番３側の端部）に沿って配置されていて、防犯上の配慮がなされている。
【００１９】
通風ユニット２０は、屋内外間の通風を制御するもので、図３乃至図６に示すように、縦長の枠部材２１と、縦長のカバー部材２２と、移動手段２３とを備えている。
【００２０】
枠部材２１は、左右一対の縦材２１ａ、２１ａと上下一対の横材２１ｂ、２１ｂとを方形枠状に組み付けてなる。この枠部材２１は、ドア本体１０の縦長貫通孔１１に沿って嵌め込まれていて、枠部材２１によって囲まれた部分が屋内外を連通する縦長の通風用開口部１７とされている。また、枠部材２１には、通風用開口部１７の屋内側を覆うようにして防虫網２４が張設されている。さらに、防虫網２４よりも屋外側において、枠部材２１の内周に沿ってシール材２５が方形枠状に取り付けられている。
【００２１】
カバー部材２２は、ドア本体１０に形成された上記の通風用開口部１７の屋外側を覆い隠すもので、屋内外方向に移動可能に取り付けられて、通風用開口部１７に対向したまま屋外方向へ張り出して通風用開口部１７を開放する開放状態と、屋内方向へ引っ込んで通風用開口部１７を閉塞する閉塞状態とに切換可能とされている。
【００２２】
具体的に、カバー部材２２は、図３及び図４に示すように、通風用開口部１７の幅方向中央付近に対応して配された基体２６と、この基体２６から横方向に互いに離間するように張り出した一対の羽根体２７、２７とを備えている。
【００２３】
基体２６は、横断面略凸状に形成されていて、一対の羽根体２７、２７よりも屋内方向へ突出されている。一対の羽根体２７、２７は、それら先端部２８、２８間の横幅（カバー部材２２の横幅）が通風用開口部１７の屋外側の横幅よりも幅広とされていて、それら先端部２８、２８の裏側には、屋内方向へ突出するようにシール材２９、２９がそれぞれ取り付けられている。
【００２４】
そして、カバー部材２２の開放状態においては、図３及び図５に示すように、基体２６が通風用開口部１７から抜け出すことで、通風用開口部１７が開放されるようになっている。また、一対の羽根体２７、２７における先端部２８、２８の裏側（シール材２９、２９と枠部材２１の縦材２１ａ、２１ａとの間）に、ドア本体１０の屋外側表面１０ａに沿って横方向に流れる風をカバー部材２２の裏側に取り込む風取込口３０、３０がそれぞれ形成され、さらに基体２６における風取込口３０、３０に対向する両側面が、風取込口３０、３０から取り込んだ風を通風用開口部１７へ流れ込ませるように風の流れを切り換える風当たり部３１、３１とされている。
【００２５】
カバー部材２２の閉塞状態においては、図４及び図６に示すように、基体２６が通風用開口部１７に収まって枠部材２１のシール材２５に当接することで、通風用開口部１７が閉塞されるようになっている。また、一対の羽根体２７、２７のシール材２９、２９が枠部材２１の縦材２１ａ、２１ａに当接することで、風取込口３０、３０が閉塞されるようになっている。
【００２６】
移動手段２３は、カバー部材２２を屋内外方向に移動させるためのものであって、通風用開口部１７を挟むようにして枠部材２１に取り付けた左右一対のアーム機構３５、３５からなる。アーム機構３５は、屋内側からの操作によって上下方向に回動可能とされた操作レバー３６と、この操作レバー３６の回動に連動して上下動可能とされた支持軸３７と、この支持軸３７の上下動に連動して回動可能とされたアーム材３８とを備えている。
【００２７】
アーム材３８は、上下方向に沿って配された板状のもので、その上端部３８ａがカバー部材２２の上端部裏側に横軸３９を介して回転自在に連結され、その下端部３８ｂが枠部材２１の支持板４０に横軸４１を介して回転自在に連結され、その中間部３８ｃの屋外側には、支持軸３７に当接する傾斜端面４２が形成されている。
【００２８】
そして、屋内側において各アーム機構３５の操作レバー３６を上向きに回動させることで、図５に示すように、支持軸３７が下動するとともに、アーム材３８が屋外方向へ倒れるように横軸４１周りに回動して、これによってカバー部材２２が開放状態となる。また、屋内側において各アーム機構３５の操作レバー３６を下向きに回動させることで、図６に示すように、支持軸３７が上動するとともに、この支持軸３７によって傾斜端面４２が屋内方向へ押し込まれることで、アーム材３８が屋内方向へ立ち上がるように横軸４１周りに回動して、これによってカバー部材２２が閉塞状態となる。この移動手段２３においては、左右のアーム機構３５、３５の操作レバー３６、３６が連結バー４３を介して連結されていて、左右のアーム機構３５、３５が連動するようになっている。このため、カバー部材２２を屋内外方向へバランス良くスムーズに移動させることができ、カバー部材２２を開放状態に確実に保持することができる。
【００２９】
なお、移動手段２３において、カバー部材２２やアーム材３８を屋外方向へ付勢するバネ等を設けても良く、この場合、カバー部材２２を開放状態にしっかりと保持することができる。また、アーム機構３５、３５と併せて、カバー部材２２の下端部付近を屋内外方向にガイドする機構を設けても良く、この場合、カバー部材２２の状態切換を安定して行うことができる。さらに、移動手段２３としては、上記のような構造に限定されず、カバー部材２２を屋内外方向に移動させて状態切換を行わせることができれば、どのような構造のものであっても良い。
【００３０】
上記構成の玄関ドア１においては、カバー部材２２を開放状態とすることで、ドア本体１０の屋外側表面１０ａに沿って横方向に流れる風が、風取込口３０、３０からカバー部材２２の裏側へスムーズに取り込まれる。そして、カバー部材２２の裏側に取り込まれた風は、カバー部材２２の裏側の風当たり部３１、３１に当たることで流れが切り換わって、通風用開口部１７へ効率良く流れ込み、防虫網２４を通って屋内へ吹き込むことになる。なお、屋内へ風を取り入れる必要のない場合には、通風ユニット２０のカバー部材２２を閉塞状態とすることで、通風用開口部１７及び風取込口３０、３０がしっかりと閉塞されて、通風を確実に阻止することができる。
【００３１】
これにより、換気扇や空調設備を使用せずに屋内へ風を取り入れることができ、しかも従来のような通風機能を有する玄関ドアと比べて、ドア本体１０の屋外側表面１０ａに沿って横方向に流れる風を効果的に捕らえて、通風効率を格段に高めることができる。加えて、玄関ドア１を閉めて施錠したままで、カバー部材２２を開放状態とすることができ、さらにカバー部材２２を開放状態としても、通風用開口部１７に対向するカバー部材２２によって通風用開口部１７の屋外側が覆い隠されて、通風用開口部１７を通して屋内側が見え難くなっていることから、防犯やプライバシー保護にも十分に配慮することできる。
【００３２】
以上に、この発明の実施形態について説明したが、この発明は、上記実施形態に限定されるものではなく、この発明の範囲内で種々変更して実施することが可能である。例えば、この発明の通風機能を有するドアは、玄関ドアに適用されるだけでなく、勝手口や通用口等のドアに適用しても良い。
【符号の説明】
【００３３】
１・・ドア、１０・・ドア本体、１０ａ・・ドア本体の屋外側表面、１７・・通風用開口部、２２・・カバー部材、２３・・移動手段、２４・・防虫網、２６・・基体、２７・・羽根体、２８・・羽根体の先端部、３０・・風取込口、３１・・風当たり部
【図１】
2014031675.tif 000003
【図２】
2014031675.tif 000004
【図３】
2014031675.tif 000005
【図４】
2014031675.tif 000006
【図５】
2014031675.tif 000007
【図６】
2014031675.tif 000008